(57)【要約】【課題】  メインビームが１個である再生装置において、トラックジャンプすることなく連続して２トラックを同時に再生できる光記録媒体、光記録媒体再生方法およびその再生装置を提供する。【解決手段】  本発明の光記録媒体は、メインビームをランドトラックとこれに隣接する第１および第２のグルーブトラックとに照射し、光記録媒体からの反射光を複数の検出領域をもつ光検出器で検出し、各検出領域の出力信号を演算処理することによって、各グルーブトラックに記録されている情報を再生する光記録媒体であって、第１および第２のグルーブトラックは、独立した螺旋で形成したダブルスパイラル構造であるため、光記録媒体１回転ごとにトラックジャンプすることなく、メインビームがランドトラックを追従できるので、連続して第１および第２のグルーブトラックに記録されている情報を同時に再生できる。【選択図】  図１
2007004851.tif 000002
【特許請求の範囲】
【請求項１】
対物レンズを介して出射されるメインビームにより光記録媒体のランドトラックと該ランドトラックに隣接する第１及び第２のグルーブトラックとを含むように照射し、前記光記録媒体からの反射光量を少なくともトラック方向に２分割された検出領域を有する検出器により検出し、前記各検出領域からの出力信号の和をＲＦ、前記各検出領域からの出力信号の差をＰＰ、定数をＣ、前記第１グルーブトラックに記録されている情報をＲＦ１、前記第２グルーブトラックに記録されている情報をＲＦ２とした場合、前記ＲＦ１をＲＦ１＝ＲＦ＋Ｃ・ＰＰにより計算し、前記ＲＦ２をＲＦ２＝ＲＦ−Ｃ・ＰＰにより計算することによって、前記第１および第２のグルーブトラックに記録されている情報を読み取る光記録媒体において、前記第１および第２のグルーブトラックは、独立した螺旋状のトラックとして形成されたダブルスパイラル構造であることを特徴とする光記録媒体。
【請求項２】
前記第１および第２のグルーブトラックのいずれか一方のグルーブトラックをアドレス情報に対応して半径方向に蛇行させて記録し、前記アドレス情報は隣接する前記第１および第２のグルーブトラックにより共有することを特徴とする請求項１に記載の光記録媒体。
【請求項３】
対物レンズを介して出射されるメインビームにより光記録媒体のランドトラックと該ランドトラックに隣接する第１及び第２のグルーブトラックとを含むように照射し、前記光記録媒体からの反射光量を少なくともトラック方向に２分割された検出領域を有する検出器により検出し、前記各検出領域からの出力信号の和をＲＦ、前記各検出領域からの出力信号の差をＰＰ、定数をＣ、前記第１グルーブトラックに記録されている情報をＲＦ１、前記第２グルーブトラックに記録されている情報をＲＦ２とした場合、前記ＲＦ１をＲＦ１＝ＲＦ＋Ｃ・ＰＰにより計算し、前記ＲＦ２をＲＦ２＝ＲＦ−Ｃ・ＰＰにより計算することにより、前記第１および第２のグルーブトラックに記録されている情報を検出する光記録媒体の再生方法において、
前記光記録媒体の第１および第２のグルーブトラックは、独立した螺旋状のトラックとして形成されたダブルスパイラル構造をもち、更に前記第１のグルーブトラックにはアドレス情報がウォブルとして記録されている光記録媒体であって、第１のサブビームを前記第１のグルーブトラックに照射し、該反射光をトラック方向に分割された検出領域をもつ第２の光検出器により検出し、第２のサブビームを前記第２のグルーブトラックに照射し、該反射光をトラック方向に分割された第３の光検出器により検出する第１ステップと、
前記第２の光検出器の各領域からの出力信号の差信号を読み取ることにより、第１のグルーブトラックに記録されているアドレス情報を読み取る第２ステップと、からなることを特徴とする光記録媒体の再生方法。
【請求項４】
再生を行う２本のグルーブトラックが前記アドレス情報を共有しているか否かを、前記第２の光検出器の各領域からの出力信号を減算した差信号の検出結果に基づいて判別する第３ステップを更に加えたことを特徴とする請求項３に記載の光記録媒体の再生方法。
【請求項５】
ランドトラック及びグルーブトラックに記録された情報を同時に読み取る光記録媒体の再生方法において、
対物レンズを介して出射されるメインビームにより前記光記録媒体のランドトラックと該ランドトラックに隣接するグルーブトラックとの境界領域に照射すると共に、第１のサブビームを前記対物レンズを介して前記グルーブトラックの境界に隣接するランドトラックに照射し、第２のサブビームを前記対物レンズを介して前記ランドトラックの境界に隣接するグルーブトラックに照射する第１ステップと、
前記光記録媒体のランドトラックとこれに隣接するグルーブトラックとの境界領域からの反射光をトラック方向に２分割された検出領域を有する第１の光検出器により検出すると共に、前記ランドトラックおよびグルーブトラックからの反射光をそれぞれトラック方向に２分割された検出領域を有する第２および第３の光検出器により検出する第２ステップと、
前記第２もしくは第３の光検出器における各検出領域からの出力信号を減算した差信号に基づいてトラッキング制御を行う第３ステップと、
前記各検出領域からの出力信号の和をＲＦ、前記各検出領域からの出力信号の差をＰＰ、定数をＣ、前記第１グルーブトラックに記録されている情報をＲＦ１、前記第２グルーブトラックに記録されている情報をＲＦ２とした場合、前記ＲＦ１をＲＦ１＝ＲＦ＋Ｃ・ＰＰにより計算し、前記ＲＦ２をＲＦ２＝ＲＦ−Ｃ・ＰＰにより計算することにより、前記ランドトラックおよびグルーブトラックに記録されている情報を読み取る第４ステップと、からなることを特徴とする光記録媒体の再生方法。
【請求項６】
前記第３ステップにおいて、
前記第３の光検出器の差信号を反転させた信号を生成し、該信号と前記第２の光検出器の差信号を加算した信号に基づいてトラッキング制御を行うことを特徴とする請求項５に記載の光記録媒体の再生方法。
【請求項７】
対物レンズを介して出射されるメインビームにより光記録媒体のランドトラックと該ランドトラックに隣接する第１及び第２のグルーブトラックとを含むように照射する照射手段と、前記光記録媒体からの反射光量を少なくともトラック方向に２分割された検出領域を有する第１の検出器により検出する領域検出手段と、前記各検出領域からの出力信号の和をＲＦ、前記各検出領域からの出力信号の差をＰＰ、定数をＣ、前記第１のグルーブトラックに記録されているピットまたはマークからの信号をＲＦ１、前記第２のグルーブトラックに記録されているピットまたはマークからの信号をＲＦ２とした場合、前記ＲＦ１をＲＦ１＝ＲＦ＋Ｃ・ＰＰにより計算し、前記ＲＦ２をＲＦ２＝ＲＦ−Ｃ・ＰＰにより計算し、前記第１および第２のグルーブトラックに記録されている情報を読み取る情報読取手段と、を備えた光記録媒体の再生装置において、
前記光記録媒体の第１および第２のグルーブトラックは、独立した螺旋状のトラックとして形成されたダブルスパイラル構造を持ち、更に前記第１のグルーブトラックにはアドレス情報がウォブルとして記録されている光記録媒体であって、第１のサブビームを前記第１のグルーブトラックに照射する第１の照射手段と、該第１のグルーブトラックからの反射光をトラック方向に分割された検出領域をもつ第２の光検出器により検出する第１の検出手段と、第２のサブビームを前記第２のグルーブトラックに照射する第２の照射手段と、該第２のグルーブトラックからの反射光をトラック方向に分割された第３の光検出器で検出する第２の検出手段と、前記第２の光検出器の各領域からの出力信号を減算した差信号を生成する差信号生成手段と、該差信号を読み取ることにより前記第１のグルーブトラックに記録されているアドレス情報を読み取るアドレス読取手段と、を備えたことを特徴とする光記録媒体の再生装置。
【請求項８】
再生を行う２本のグルーブトラックがアドレス情報を共有しているか否かを、前記第２の光検出器の各領域からの出力信号を減算した差信号の検出結果に基づいて判別する判別手段を更に備えることを特徴とする請求項７に記載の光記録媒体の再生装置。
【請求項９】
ランドトラック及びグルーブトラックに記録された情報を同時に読み取る光記録媒体の再生装置において、
対物レンズを介して出射されるメインビームにより前記光記録媒体のランドトラックと該ランドトラックに隣接するグルーブトラックとの境界領域に照射する境界照射手段と、第１のサブビームを前記対物レンズを介して前記グルーブトラックの境界に隣接するランドトラックに照射するランドトラック照射手段と、第２のサブビームを前記対物レンズを介して前記ランドトラックの境界に隣接するグルーブトラックに照射するグルーブトラック照射手段と、
前記光記録媒体のランドトラックとこれに隣接するグルーブトラックとの境界領域からの反射光をトラック方向に２分割された検出領域を有する第１の光検出器により検出する第１の検出手段と、前記ランドトラック及びグルーブトラックからの反射光をそれぞれトラック方向に２分割された検出領域を有する第２及び第３の光検出器により検出する第２の検出手段と、
前記第２もしくは第３の光検出器における各検出領域からの出力信号を減算した差信号に基づいてトラッキング制御を行うトラッキング制御手段と、
前記第１の検出領域からの出力信号の和をＲＦ、前記第１の検出領域からの出力信号の差をＰＰ、定数をＣ、前記第１のグルーブトラックに記録されているピットまたはマークからの信号をＲＦ１、前記第２のグルーブトラックに記録されているピットまたはマークからの信号をＲＦ２とした場合、前記ＲＦ１をＲＦ１＝ＲＦ＋Ｃ・ＰＰにより計算し、前記ＲＦ２をＲＦ２＝ＲＦ−Ｃ・ＰＰにより計算する計算手段と、
前記ランドトラック及びグルーブトラックに記録されている情報を読み取る読取手段と、を備えたことを特徴とする光記録媒体の再生装置。
【請求項１０】
前記第３の光検出器の差信号を反転させた信号を生成する反転信号生成手段と、該反転信号生成手段により生成された信号と前記第２の光検出器の差信号とを加算した信号を生成する加算信号手段と、該加算信号手段により生成された信号に基づいてトラッキング制御を行うトラッキング制御手段と、を備えたことを特徴とする請求項９に記載の光記録媒体の再生装置。
【発明の詳細な説明】
【技術分野】
【０００１】
光記録媒体、光記録媒体の再生方法、及び光記録媒体の再生装置に関し、さらに詳しくは、データ転送レートを高速化する光記録媒体、光記録媒体再生方法、及び光記録媒体の再生装置に関するものである。
【背景技術】
【０００２】
光記録媒体の開発課題の一つとして、データ転送レートの高速化がある。データ転送レートを上げるためにＣＤ、ＤＶＤ等では、記録再生線速度を標準速度の数倍あるいはそれ以上にしている。しかしながら、光記録媒体を回転させるスピンドルモータには回転速度に限界があり、高速回転できるスピンドルモータを採用すると、モータが大きくなるため装置の小型化が困難になり、且つコストアップにつながる等の問題に直面する。
また、光記録媒体の基板には、高速回転に耐え得る機械特性が要求されるため、基板作製に従来よりも精度の高い製造技術が必要になり、その結果、記録媒体の製造コストも高くなるという問題がある。
また転送レートを向上する別の方法として、従来から読み取り光ビームを複数にしたマルチビーム方式がある。しかしこの方法では、光学素子が増えるため各光学素子間の調整が複雑になる。また光ビームの数だけ信号処理回路が必要になるため信号処理が複雑になる。即ち、この方法も再生装置のコストアップ、装置の小型化が困難になる等の問題が生じる。
従来技術として特許文献１には、記録媒体には、１つの光ビームにより同時に走査可能な複数のピットを１組とするピット列が形成されており、これらのピットは情報に基づいて配列することにより、光の回折限界を超える微小な情報ピットを形成したとしても、データの読み取り精度を向上できる光記録媒体および再生装置について開示されている。尚、ピットの配列の特定は、各検出領域で出力された信号を加算して得られた和信号と、互いに対角な位置関係にある２つの検出領域で出力された和から、残りの２つの検出領域から出力された和を減算して得られる差信号とに基づいて行うとしている。
また特許文献２には、３本のトラックＴｒ１、Ｔｒ２、Ｔｒ３を同時にアクセスするにあたり、これらのうちＴｒ２を冗長トラックとし、Ｔｒ２に冗長ビットを記録することによって、再生信号がＴｒ１とＴｒ３のいずれかに記録されているかを識別できるようにすることにより、複数のトラックが同時にアクセスされるようなトラックピッチで情報が記録された記録媒体から記録ドメインを別個に再生できる記録再生方法について開示されている。
また特許文献３には、複写元のヘッドのビーム数より多いマルチビームヘッドを用い、複写すべきディスクのフォーマットに応じて所定トラック分トラックジャンプさせるようにヘッドを制御し、複数のトラックの情報を並列に複写することにより、従来の高速化手段に加えてさらに２倍以上の高速ダビングを可能にする技術について開示されている。
【特許文献１】特開２００４−２２７６２７公報
【特許文献２】特開１０−７９１７０号公報
【特許文献３】特開平７−２７２２７４号公報
【発明の開示】
【発明が解決しようとする課題】
【０００３】
特許文献１、２に開示されている従来技術は、何れも高記録密度に関するものであり、記録密度を高くすることによって転送レートも向上できるメリットがある。それは、あるトラックとその隣接トラックにある２個のマークを、または隣接する３トラックにある３個のマークを１組にして高密度記録を実現する技術である。したがって、２個または３個のマークが、それぞれ正確な位置に記録されていないと、情報を正確に再生することはできない。しかしながら、ＣＤ、ＤＶＤのような線速度一定のＣＬＶ記録方式では、半径方向にマーク位置を正確にそろえて記録することは困難になる。例えばＣＤ−Ｒ、ＤＶＤ−Ｒ等において、すでに記録されている情報の後に新たな情報を追記するとき、そのつなぎ目はある程度の重なりは許容されている。言い換えれば、つなぎ目を完全に一致させることは難しいということになる。ましてや、隣接トラック間においてマーク位置をそろえることは、安価な記録再生装置で実現するのは困難であり、実現するには高精度な制御機構が必要になるためコストアップになる。
また、半径方向に整列した複数のピットを１組として情報を記録した記録媒体は、特殊な記録方法であるため、この方法で記録された光記録媒体を、既存の記録再生装置では再生できないという互換性の不具合が生じる。
また特許文献３に開示されている従来技術は、マルチビームの記録再生装置におけるトラックジャンプ方法であって、１ビームの記録再生装置には適用できない。記録装置にマルチビームを採用した場合、ビームの数だけ光源、光学系、検出系が必要になり、またそれらの組み付けおよび調整が複雑になるため、コストアップにつながる問題がある。
本発明は、かかる課題に鑑み、メインビームが１個である再生装置において、トラックジャンプすることなく連続して２トラックを同時に再生できる光記録媒体、光記録媒体再生方法およびその再生装置を提供することを目的とする。
【課題を解決するための手段】
【０００４】
本発明はかかる課題を解決するために、請求項１は、対物レンズを介して出射されるメインビームにより光記録媒体のランドトラックと該ランドトラックに隣接する第１及び第２のグルーブトラックとを含むように照射し、前記光記録媒体からの反射光量を少なくともトラック方向に２分割された検出領域を有する検出器により検出し、前記各検出領域からの出力信号の和をＲＦ、前記各検出領域からの出力信号の差をＰＰ、定数をＣ、前記第１グルーブトラックに記録されている情報をＲＦ１、前記第２グルーブトラックに記録されている情報をＲＦ２とした場合、前記ＲＦ１をＲＦ１＝ＲＦ＋Ｃ・ＰＰにより計算し、前記ＲＦ２をＲＦ２＝ＲＦ−Ｃ・ＰＰにより計算することによって、前記第１および第２のグルーブトラックに記録されている情報を読み取る光記録媒体において、前記第１および第２のグルーブトラックは、独立した螺旋状のトラックとして形成されたダブルスパイラル構造であることを特徴とする。
本発明の光記録媒体は、メインビームをランドトラックとこれに隣接する第１および第２のグルーブトラックとに照射し、光記録媒体からの反射光を複数の検出領域をもつ光検出器で検出し、各検出領域の出力信号を演算処理することによって、各グルーブトラックに記録されている情報を再生する光記録媒体であって、第１および第２のグルーブトラックは、独立した螺旋で形成したダブルスパイラル構造であるため、光記録媒体１回転ごとにトラックジャンプすることなく、メインビームがランドトラックを追従できるので、連続して第１および第２のグルーブトラックに記録されている情報を同時に再生することができる。
【０００５】
請求項２は、前記第１および第２のグルーブトラックのいずれか一方のグルーブトラックをアドレス情報に対応して半径方向に蛇行させて記録し、前記アドレス情報は隣接する前記第１および第２のグルーブトラックにより共有することを特徴とする。
アドレス情報は、第１および第２のグルーブトラックで共有し、第１のグルーブトラックをアドレス情報に応じてグルーブを半径方向にウォブルさせて記録し、第２のグルーブはストレートグルーブとしている。
請求項３は、対物レンズを介して出射されるメインビームにより光記録媒体のランドトラックと該ランドトラックに隣接する第１及び第２のグルーブトラックとを含むように照射し、前記光記録媒体からの反射光量を少なくともトラック方向に２分割された検出領域を有する検出器により検出し、前記各検出領域からの出力信号の和をＲＦ、前記各検出領域からの出力信号の差をＰＰ、定数をＣ、前記第１グルーブトラックに記録されている情報をＲＦ１、前記第２グルーブトラックに記録されている情報をＲＦ２とした場合、前記ＲＦ１をＲＦ１＝ＲＦ＋Ｃ・ＰＰにより計算し、前記ＲＦ２をＲＦ２＝ＲＦ−Ｃ・ＰＰにより計算することにより、前記第１および第２のグルーブトラックに記録されている情報を検出する光記録媒体の再生方法において、前記光記録媒体の第１および第２のグルーブトラックは、独立したら螺旋状のトラックとして形成されたダブルスパイラル構造をもち、更に前記第１のグルーブトラックにはアドレス情報がウォブルとして記録されている光記録媒体であって、第１のサブビームを前記第１のグルーブトラックに照射し、該反射光をトラック方向に分割された検出領域をもつ第２の光検出器により検出し、第２のサブビームを前記第２のグルーブトラックに照射し、該反射光をトラック方向に分割された第３の光検出器により検出する第１ステップと、前記第２の光検出器の各領域からの出力信号の差信号を読み取ることにより、第１のグルーブトラックに記録されているアドレス情報を読み取る第２ステップと、からなることを特徴とする。
メインビームが照射されているランドトラックに隣接する第１のグルーブトラックに第１のサブビームを照射し、他方の第２のグルーブトラックに第２のサブビームを照射する。第１のサブビームによる光記録媒体からの反射光を、検出領域がトラック方向に分割された第２の光検出器で検出し、各領域からの出力信号の差信号を生成し、この差信号を検出することによってアドレス情報を読み取る。
【０００６】
請求項４は、再生を行う２本のグルーブトラックが前記アドレス情報を共有しているか否かを、前記第２の光検出器の各領域からの出力信号を減算した差信号の検出結果に基づいて判別する第３ステップを更に加えたことを特徴とする。
第２の光検出器で検出した各領域からの差信号をモニタすることによって、すなわちウォブル信号が検出できたかどうかで、メインビームが追従すべきランドトラックかどうかを判断できる。
請求項５は、ランドトラック及びグルーブトラックに記録された情報を同時に読み取る光記録媒体の再生方法において、対物レンズを介して出射されるメインビームにより前記光記録媒体のランドトラックと該ランドトラックに隣接するグルーブトラックとの境界領域に照射すると共に、第１のサブビームを前記対物レンズを介して前記グルーブトラックの境界に隣接するランドトラックに照射し、第２のサブビームを前記対物レンズを介して前記ランドトラックの境界に隣接するグルーブトラックに照射する第１ステップと、前記光記録媒体のランドトラックとこれに隣接するグルーブトラックとの境界領域からの反射光をトラック方向に２分割された検出領域を有する第１の光検出器により検出すると共に、前記ランドトラックおよびグルーブトラックからの反射光をそれぞれトラック方向に２分割された検出領域を有する第２および第３の光検出器により検出する第２ステップと、前記第２もしくは第３の光検出器における各検出領域からの出力信号を減算した差信号に基づいてトラッキング制御を行う第３ステップと、前記各検出領域からの出力信号の和をＲＦ、前記各検出領域からの出力信号の差をＰＰ、定数をＣ、前記第１グルーブトラックに記録されている情報をＲＦ１、前記第２グルーブトラックに記録されている情報をＲＦ２とした場合、前記ＲＦ１をＲＦ１＝ＲＦ＋Ｃ・ＰＰにより計算し、前記ＲＦ２をＲＦ２＝ＲＦ−Ｃ・ＰＰにより計算することにより、前記ランドトラックおよびグルーブトラックに記録されている情報を読み取る第４ステップと、からなることを特徴とする。
第２の光検出器の差信号、または第３の光検出器の差信号をトラッキングエラー信号として利用すれば、メインビームの中心はランドトラックとグルーブトラックとの境界を追従できる。
【０００７】
請求項６は、前記第３ステップにおいて、前記第３の光検出器の差信号を反転させた信号を生成し、該信号と前記第２の光検出器の差信号を加算した信号に基づいてトラッキング制御を行うことを特徴とする。
サブビームの差信号の光強度が十分でない場合は、第１のサブビームの差信号と、第２のサブビームの差信号を反転させた信号との和をトラッキングエラー信号として利用することによって信号振幅をかせぐことができるので、より安定したトラッキング制御が行える。
請求項７は、対物レンズを介して出射されるメインビームにより光記録媒体のランドトラックと該ランドトラックに隣接する第１及び第２のグルーブトラックとを含むように照射する照射手段と、前記光記録媒体からの反射光量を少なくともトラック方向に２分割された検出領域を有する第１の検出器により検出する領域検出手段と、前記各検出領域からの出力信号の和をＲＦ、前記各検出領域からの出力信号の差をＰＰ、定数をＣ、前記第１のグルーブトラックに記録されているピットまたはマークからの信号をＲＦ１、前記第２のグルーブトラックに記録されているピットまたはマークからの信号をＲＦ２とした場合、前記ＲＦ１をＲＦ１＝ＲＦ＋Ｃ・ＰＰにより計算し、前記ＲＦ２をＲＦ２＝ＲＦ−Ｃ・ＰＰにより計算し、前記第１および第２のグルーブトラックに記録されている情報を読み取る情報読取手段と、を備えた光記録媒体の再生装置において、前記光記録媒体の第１および第２のグルーブトラックは、独立した螺旋状のトラックとして形成されたダブルスパイラル構造を持ち、更に前記第１のグルーブトラックにはアドレス情報がウォブルとして記録されている光記録媒体であって、第１のサブビームを前記第１のグルーブトラックに照射する第１の照射手段と、該第１のグルーブトラックからの反射光をトラック方向に分割された検出領域をもつ第２の光検出器により検出する第１の検出手段と、第２のサブビームを前記第２のグルーブトラックに照射する第２の照射手段と、該第２のグルーブトラックからの反射光をトラック方向に分割された第３の光検出器で検出する第２の検出手段と、前記第２の光検出器の各領域からの出力信号を減算した差信号を生成する差信号生成手段と、該差信号を読み取ることにより前記第１のグルーブトラックに記録されているアドレス情報を読み取るアドレス読取手段と、を備えたことを特徴とする。
本発明は請求項３と同様の作用効果を奏する。
【０００８】
請求項８は、再生を行う２本のグルーブトラックがアドレス情報を共有しているか否かを、前記第２の光検出器の各領域からの出力信号を減算した差信号の検出結果に基づいて判別する判別手段を更に備えることを特徴とする。
本発明は請求項４と同様の作用効果を奏する。
請求項９は、ランドトラック及びグルーブトラックに記録された情報を同時に読み取る光記録媒体の再生装置において、メインビームにより対物レンズを介して前記光記録媒体のランドトラックと該ランドトラックに隣接するグルーブトラックとの境界領域に照射する境界照射手段と、第１のサブビームを前記対物レンズを介して前記グルーブトラックの境界に隣接するランドトラックに照射するランドトラック照射手段と、第２のサブビームを前記対物レンズを介して前記ランドトラックの境界に隣接するグルーブトラックに照射するグルーブトラック照射手段と、前記光記録媒体のランドトラックとこれに隣接するグルーブトラックとの境界領域からの反射光をトラック方向に２分割された検出領域を有する第１の光検出器により検出する第１の検出手段と、前記ランドトラック及びグルーブトラックからの反射光をそれぞれトラック方向に２分割された検出領域を有する第２及び第３の光検出器により検出する第２の検出手段と、前記第２もしくは第３の光検出器における各検出領域からの出力信号を減算した差信号に基づいてトラッキング制御を行うトラッキング制御手段と、前記第１の検出領域からの出力信号の和をＲＦ、前記第１の検出領域からの出力信号の差をＰＰ、定数をＣ、前記第１のグルーブトラックに記録されているピットまたはマークからの信号をＲＦ１、前記第２のグルーブトラックに記録されているピットまたはマークからの信号をＲＦ２とした場合、前記ＲＦ１をＲＦ１＝ＲＦ＋Ｃ・ＰＰにより計算し、前記ＲＦ２をＲＦ２＝ＲＦ−Ｃ・ＰＰにより計算する計算手段と、前記ランドトラック及びグルーブトラックに記録されている情報を読み取る読取手段と、を備えたことを特徴とする。
本発明は請求項５と同様の作用効果を奏する。
請求項１０は、前記第３の光検出器の差信号を反転させた信号を生成する反転信号生成手段と、該反転信号生成手段により生成された信号と前記第２の光検出器の差信号とを加算した信号を生成する加算信号手段と、該加算信号手段により生成された信号に基づいてトラッキング制御を行うトラッキング制御手段と、を備えたことを特徴とする。
本発明は請求項６と同様の作用効果を奏する。
【発明の効果】
【０００９】
請求項１の発明によれば、グルーブトラックをダブルスパイラル構造にしているので、記録媒体１回転ごとにトラックジャンプすることなく、第１および第２のグルーブトラックに記録されている情報を連続して同時再生することができる。
また請求項２では、第１および第２のグルーブトラックとでアドレス情報を共有しているので、狭トラックピッチにおいてもアドレス情報を再生することができる。
また請求項３では、ウォブルした第１のグルーブトラックに第１のサブビームを照射するので、その反射光の検出信号からアドレス情報を読み取ることができる。  
また請求項４では、第２の光検出器の差信号からウォブル信号が検出できたかどうかを判別するので、メインビームが追従すべきランドトラックかどうかを判別できる。  
また請求項５では、メインビームをランドトラックとグルーブトラックとの境界に照射して２トラックを同時に再生するので、記録媒体１回転ごとにトラックジャンプすることなく、ランドトラックおよびグルーブトラックに記録されている情報を連続して同時再生することができる。
また請求項６では、第１のサブビームの差信号と、第２のサブビームの差信号を反転させた信号との和をトラッキングエラー信号とするので、十分な信号振幅が得られ安定したトラッキング制御を行うことができる。
また請求項７では、グルーブトラックをダブルスパイラル構造にしているので、記録媒体１回転ごとにトラックジャンプすることなく、第１および第２のグルーブトラックに記録されている情報を連続して同時再生することができる。
また請求項８では、第２の光検出器の差信号からウォブル信号が検出できたかどうかを判別するので、メインビームが追従すべきランドトラックかどうかを判別できる。
また請求項９では、メインビームをランドトラックとグルーブトラックとの境界に照射し２トラック同時に再生するので、記録媒体１回転ごとにトラックジャンプすることなく、ランドトラックおよびグルーブトラックに記録されている情報を連続して同時再生することができる。
また請求項１０では、第１のサブビームの差信号と、第２のサブビームの差信号を反転させた信号との和をトラッキングエラー信号とするので、十分な信号振幅が得られ安定したトラッキング制御を行うことができる。
【発明を実施するための最良の形態】
【００１０】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
まず本発明の主旨について説明する。本発明者らは、従来の課題を解決するために、再生線速度を上げずにデータの転送レートを向上することができる再生方法を発明した。それは、１つの光スポットを隣接する２本のトラックを含むように照射し、光記録媒体からの反射光を複数の検出領域をもつ光検出器で検出し、各検出領域の出力信号を演算処理することによって、各トラックに記録されている情報を再生する方法である。この再生方法によれば、同時に読み取られるピットまたはマークは、半径方向に整列していなくてもかまわない。したがって、記録時にピットまたはマークの半径方向の位置精度を考慮することなく、隣接する２本のトラックに記録された情報を分離して再生できる。そして各トラックからの信号に分離する方法は、次の式を用いる。
ＲＦ１＝（ＩＡ＋ＩＢ＋ＩＣ＋ＩＤ）＋Ｃ・（ＩＡ＋ＩＢ−ＩＣ−ＩＤ）・・・（１）
ＲＦ２＝（ＩＡ＋ＩＢ＋ＩＣ＋ＩＤ）−Ｃ・（ＩＡ＋ＩＢ−ＩＣ−ＩＤ）・・・（２）
ここで、ＲＦ１はトラック１（以下、Ｔｒ１と記す）のピットからの信号、ＲＦ２はトラック２（以下、Ｔｒ２と記す）のピットからの信号、Ｃは定数、ＩＡ〜ＩＤは検出器の各検出領域Ａ〜Ｄからの信号である。
上記再生方法によって再生時のデータ転送レートは向上するが、図１０に示すように記録媒体が１回転するごとにトラックジャンプが発生する。次のトラックへジャンプしてからそのトラックの情報を再生するまでに、ある時間を要するため再生できない領域４２が発生する。この領域を記録再生しないギャップ領域として設定すれば問題は解決されるが、トラック１周ごとにギャップ領域を設けると記録容量の低下を招くことになる。
本発明の光記録媒体は、メインビームをランドトラックとこれに隣接する第１および第２のグルーブトラックとに照射し、光記録媒体からの反射光を複数の検出領域をもつ光検出器で検出し、各検出領域の出力信号を演算処理することによって、各グルーブトラックに記録されている情報を再生する光記録媒体であって、第１および第２のグルーブトラックは、独立した螺旋で形成したダブルスパイラル構造であるため、光記録媒体１回転ごとにトラックジャンプすることなく、メインビームがランドトラックを追従できるので、連続して第１および第２のグルーブトラックに記録されている情報を同時に再生できる。
【００１１】
図１は本発明の第１の実施形態のダブルスパイラル構造をもつ光記録媒体基板の拡大図である。情報は、第１のグルーブトラック１と第２のグルーブトラック２とに記録される。メインビームは、図１の点線３で示すように、第１および第２のグルーブトラック１、２との間にあるランドトラック４に照射される。ランドトラック４ａにあるメインビームの集光位置は、光記録媒体が１回転したとき２本先のランドトラック４ｂにくるので、トラックジャンプすることなく、連続して第１および第２のグルーブトラック１、２に記録されている情報を同時に再生できる。
図２はアドレス情報について説明する図である。アドレス情報は、図２に示すように第１および第２のグルーブトラック１、２とで共有し、第１のグルーブトラック１をアドレス情報に応じてグルーブを半径方向にウォブルさせて記録し、第２のグルーブはストレートグルーブとしている。メインビームＭＢが照射されているランドトラックに隣接する第１のグルーブトラック１に第１のサブビームＳＢ１を照射し、他方の第２のグルーブトラック２に第２のサブビームＳＢ２を照射する。
図３は複数の検出器の位置関係を示す図である。第１のサブビームＳＢ１による光記録媒体からの反射光を、図３に示す検出領域がトラック方向に分割された第２の光検出器１１で検出し、領域Ａ２およびＢ２からの出力信号ＩＡ２およびＩＢ２との差信号を生成し、この差信号を検出することによってアドレス情報を読み取る。また、この差信号をモニタすることによって、すなわちウォブル信号が検出できたかどうかで、メインビームＭＢが追従すべきランドトラックかどうかを判断できる。
この光記録媒体の第１および第２のグルーブトラック１、２に記録されている情報を同時に再生するには、以下の方法で行う。メインビームＭＢをランドトラックとこれに隣接する２本のグルーブトラックを含むように照射し、光記録媒体からの反射光を複数の検出領域をもつ光検出器１０で検出し、検出領域Ａおよび検出領域Ｂからの出力信号ＩＡおよびＩＢを式（１）、式（２）にしたがって演算処理することによって、各トラックに記録されている情報を再生する方法である。
ＲＦ１＝（ＩＡ＋ＩＢ）＋Ｃ・（ＩＡ−ＩＢ）・・・・（３）
ＲＦ２＝（ＩＡ＋ＩＢ）−Ｃ・（ＩＡ−ＩＢ）・・・・（４）
ここで、ＲＦ１は第２のグルーブトラックからの信号、ＲＦ２は第１のグルーブトラックからの信号、Ｃは定数である。この方法によって、マルチビームにすることなくメインビームＭＢ１個で、２トラックを同時に、かつトラックジャンプすることなく連続して再生できる。
【００１２】
次に本発明の実施例について説明する。光記録媒体には、波長４０５ｎｍ、対物レンズのＮＡ０．６５のレーザ光で記録が可能な相変化型光ディスクを用いた。基板は直径１２０ｍｍ、厚さ０．６ｍｍのポリカーボネートからなり、基板表面上には、射出成形によりダブルスパイラルのグルーブトラックが形成されている。この基板上に、誘電体膜、Ｇｅ−Ｓｂ−Ｔｅを主成分とする相変化記録膜、誘電体膜、反射膜を順次積層して相変化型光ディスクを作製した。
図４は本発明の実施例に係る記録媒体のトラック構成を示す図である。同じ構成要素には同じ参照番号を付して説明する。図４に示すように、この光記録媒体の第１のグルーブトラック１にマークおよびスペース長が０．３０μｍの繰り返しデータ２０を記録し、第２のグルーブトラック２にマークおよびスペース長１．０μｍの繰り返しデータ２１を記録した。第１および第２のグルーブトラック１、２との間にあるランドトラック４にメインビームＭＢを照射し、その反射光を検出領域がＡ、Ｂに分割された光検出器１０で検出し、検出領域Ａ、Ｂの出力信号ＩＡ、ＩＢをデジタルオシロスコープでサンプリングした。
図５はＩＡ＋ＩＢ、ＩＡ＋およびＩＢのサンプリング結果を用いて式（３）および式（４）を演算した結果のＲＦ２、ＲＦ１を示す図である。図５から、メインビームＭＢを第１および第２のグルーブトラック１、２に同時に照射したときの反射光の検出結果を、式（３）および式（４）を演算することによって、第１および第２のグルーブトラック１、２に記録された情報を取り出せることを確認した。
本発明の第２の実施形態に係る光記録媒体の再生方法は、ランドトラックおよびグルーブトラックに情報を記録するランドアンドグルーブ記録方式に適用される方法であって、図６に示すように、メインビーム２５をランドトラック２６とこれに隣接するグルーブトラック２７との境界に照射し、光記録媒体からの反射光を検出領域がトラック方向に分割された光検出器で検出し、各検出領域の出力信号を演算処理することによって、ランドトラック２６およびグルーブトラック２７に記録されている情報を読み取る方法である。図６に点線で示したメインビームの軌跡からわかるように、メインビーム２５をランドトラック２６とグルーブトラック２７との境界に追従させることによって、光記録媒体１回転ごとにトラックジャンプすることなく、連続してランドトラックおよびグルーブトラックに記録されている情報を同時に再生できる。
【００１３】
図７はランド＆グルーブ記録方式の光記録媒体基板の拡大図である。同じ構成要素には同じ参照番号を付して説明する。メインビームＭＢは、ランドトラック２６とグルーブトラック２７との境界に照射され、第１のサブビームＳＢ１はメインビームＭＢの中心からトラックピッチの１／４半径方向に離れたグルーブトラック２７の中心に照射され、第２のサブビームＳＢ２は第１のサブビームＳＢ１と同じ距離だけ反対方向に離れたランドトラック２６の中心に照射される。メインビームＭＢ、第１および第２のサブビームＳＢ１、ＳＢ２による光記録媒体からの反射光は、検出領域がトラック方向に分割された光検出器でそれぞれ検出される。
図８はメインビームおよびサブビームがランドおよびグルーブトラックを横切ったとき、各光検出器から出力される差信号を示す図である。図８（１）は光記録媒体の断面図、図８（２）は第１の光検出器の差信号、図８（３）は第２の光検出器の差信号、図８（４）は第３の光検出器の差信号である。光記録媒体の断面図と各光検出器の差信号を見比べると、図８（３）の第２の光検出器の差信号、または図８（４）の第３の光検出器の差信号をトラッキングエラー信号として利用すれば、メインビームの中心はランドトラックとグルーブトラックとの境界を追従できることがわかる。サブビームの差信号の光強度が十分でない場合は、第１のサブビームの差信号と、第２のサブビームの差信号を反転させた信号との和をトラッキングエラー信号として利用することによって信号振幅をかせぐことができるので、より安定したトラッキング制御が行える。
【００１４】
図９は、本発明の光記録媒体記録再生装置の一例を示すブロック図である。同じ構成要素には同じ参照番号を付して説明する。この記録再生装置１００は、光記録媒体３０を支持して回転させるスピンドルモータ３１を有しており、光記録媒体３０に光ビームを照射して反射した光ビームを検出して光電変換する光ピックアップ３２と、光ピックアップ３２から反射光量を検出する光検出器１０、１１、１２と、光検出器１０、１１、１２からの出力信号を演算処理する信号制御部１３と、信号処理結果１３を格納するメモリ３５とを備えて構成される。
信号制御部１３は記録データに基づいた記録用信号をレーザ駆動回路３４に出力し、レーザ駆動回路３４はそれに応じて光ピックアップ３２のレーザ光源を駆動し、データを記録する。また、信号制御部１３は、光検出器１０、１１、１２からの出力信号からトラックエラー信号、フォーカスエラー信号、ウォブル信号生成する。
【００１５】
以上のとおり本発明によれば、グルーブトラック１、２をダブルスパイラル構造にしているので、記録媒体１回転ごとにトラックジャンプすることなく、第１および第２のグルーブトラック１、２に記録されている情報を連続して同時再生することができる。
また、第１および第２のグルーブトラック１、２とでアドレス情報を共有しているので、狭トラックピッチにおいてもアドレス情報を再生することができる。
また、ウォブルした第１のグルーブトラック１に第１のサブビームＳＢ１を照射するので、その反射光の検出信号からアドレス情報を読み取ることができる。
また、第２の光検出器１１の差信号からウォブル信号が検出できたかどうかを判別するので、メインビームＭＢが追従すべきランドトラックかどうかを判別できる。
また、メインビームＭＢをランドトラック４とグルーブトラック１、２との境界に照射して２トラックを同時に再生するので、記録媒体１回転ごとにトラックジャンプすることなく、ランドトラック４およびグルーブトラック１、２に記録されている情報を連続して同時再生することができる。
また、第１のサブビームＳＢ１の差信号と、第２のサブビームＳＢ２の差信号を反転させた信号との和をトラッキングエラー信号とするので、十分な信号振幅が得られ安定したトラッキング制御を行うことができる。
また、グルーブトラックをダブルスパイラル構造にしているので、記録媒体１回転ごとにトラックジャンプすることなく、第１および第２のグルーブトラック１、２に記録されている情報を連続して同時再生することができる。
また、第２の光検出器１１の差信号からウォブル信号が検出できたかどうかを判別するので、メインビームが追従すべきランドトラックかどうかを判別できる。
【図面の簡単な説明】
【００１６】
【図１】本発明の第１の実施形態のダブルスパイラル構造をもつ光記録媒体基板の拡大図である。
【図２】アドレス情報について説明する図である。
【図３】複数の検出器の位置関係を示す図である。
【図４】本発明の実施例に係る記録媒体のトラック構成を示す図である。
【図５】ＩＡ＋ＩＢ、ＩＡ＋およびＩＢのサンプリング結果を用いて式（３）および式（４）を演算した結果のＲＦ２、ＲＦ１を示す図である。
【図６】本発明の第２の実施形態のダブルスパイラル構造をもつ光記録媒体基板の拡大図である。
【図７】ランド＆グルーブ記録方式の光記録媒体基板の拡大図である。
【図８】メインビームおよびサブビームがランドおよびグルーブトラックを横切ったとき、各光検出器から出力される差信号を示す図である。
【図９】本発明の光記録媒体記録再生装置の一例を示すブロック図である。
【図１０】従来のトラックジャンプの様子を示す図である。
【符号の説明】
【００１７】
１０、１１、１２  光検出器、１３  信号制御部、３０  光記録媒体（光ディスク）、３１  スピンドルモータ、３２  光ピックアップ、３３  送りモータ、３４  レーザ駆動回路、３５  メモリ、１００  記録再生装置
【図１】
2007004851.tif 000003
【図２】
2007004851.tif 000004
【図３】
2007004851.tif 000005
【図４】
2007004851.tif 000006
【図５】
2007004851.tif 000007
【図６】
2007004851.tif 000008
【図７】
2007004851.tif 000009
【図８】
2007004851.tif 000010
【図９】
2007004851.tif 000011
【図１０】
2007004851.tif 000012